(57)【要約】無線通信システムにおける端末がＷＬＡＮ測定（Ｗｉｒｅｌｅｓｓ  Ｌｏｃａｌ  Ａｒｅａ  Ｎｅｔｗｏｒｋ  Ｍｅａｓｕｒｅｍｅｎｔ）を実行する方法及びこれをサポートする装置が提供される。前記端末は、指示子及び測定対象を含むＷＬＡＮ測定設定を受信し、前記指示子に基づいてＷＬＡＮ測定実行対象を決定し、前記決定されたＷＬＡＮ測定実行対象に対してＷＬＡＮ測定を実行することを含み、前記指示子は、前記端末により検出された（ｄｅｔｅｃｔｅｄ）ＷＬＡＮ  ＡＰの測定が許容されるかどうかを指示する。【選択図】図１１
2018525921.tif 000002
【特許請求の範囲】
【請求項１】
無線通信システムにおける端末がＷＬＡＮ測定（Ｗｉｒｅｌｅｓｓ  Ｌｏｃａｌ  Ａｒｅａ  Ｎｅｔｗｏｒｋ  Ｍｅａｓｕｒｅｍｅｎｔ）を実行する方法において、
指示子及び測定対象を含むＷＬＡＮ測定設定を受信し、
前記指示子に基づいてＷＬＡＮ測定実行対象を決定し、
前記決定されたＷＬＡＮ測定実行対象に対してＷＬＡＮ測定を実行することを含み、
前記指示子は、前記端末により検出された（ｄｅｔｅｃｔｅｄ）ＷＬＡＮ  ＡＰの測定が許容されるかどうかを指示することを特徴とする方法。
【請求項２】
前記指示子が前記検出されたＷＬＡＮ  ＡＰの測定が許容されることを指示する場合、前記ＷＬＡＮ測定実行対象は、羅列された（ｌｉｓｔｅｄ）ＷＬＡＮ  ＡＰ及び前記検出されたＷＬＡＮ  ＡＰであることを特徴とする請求項１に記載の方法。
【請求項３】
前記測定対象がＷＬＡＮ周波数情報を含む場合、前記検出されたＷＬＡＮ  ＡＰは、前記ＷＬＡＮ周波数情報に羅列されたＷＬＡＮ周波数上のＷＬＡＮ  ＡＰであることを特徴とする請求項２に記載の方法。
【請求項４】
前記羅列されたＷＬＡＮ  ＡＰは、ＷＬＡＮ周波数リスト、ＷＬＡＮ  ＡＰ ＩＤリスト、ＷＬＡＮ  ＡＰグループＩＤリストのうち少なくともいずれか一つを含むことを特徴とする請求項２に記載の方法。
【請求項５】
前記検出されたＷＬＡＮ  ＡＰは、前記羅列されたＷＬＡＮ  ＡＰに含まれず、前記端末により検出されたＷＬＡＮ  ＡＰであることを特徴とする請求項４に記載の方法。
【請求項６】
前記指示子が前記検出されたＷＬＡＮ  ＡＰの測定が許容されないことを指示する場合、前記ＷＬＡＮ測定実行対象は、羅列されたＷＬＡＮ  ＡＰであることを特徴とする請求項１に記載の方法。
【請求項７】
前記端末は、ＷＬＡＮ測定結果を報告することをさらに含むことを特徴とする請求項２に記載の方法。
【請求項８】
前記端末は、前記指示子に基づいてＷＬＡＮ測定報告対象を決定し、
前記決定されたＷＬＡＮ測定報告対象に対してＷＬＡＮ測定結果を報告することをさらに含み、
前記指示子は、前記端末により検出されたＷＬＡＮ  ＡＰの測定結果報告が許容されるかどうかを指示することを特徴とする請求項１に記載の方法。
【請求項９】
前記指示子が前記検出されたＷＬＡＮ  ＡＰの測定結果報告が許容されることを指示する場合、前記ＷＬＡＮ測定報告対象は、羅列されたＷＬＡＮ  ＡＰ及び前記検出されたＷＬＡＮ  ＡＰであることを特徴とする請求項８に記載の方法。
【請求項１０】
前記測定対象がＷＬＡＮ周波数情報を含む場合、前記検出されたＷＬＡＮ  ＡＰは、前記ＷＬＡＮ周波数情報に羅列されたＷＬＡＮ周波数上のＷＬＡＮ  ＡＰであることを特徴とする請求項９に記載の方法。
【請求項１１】
前記指示子が前記検出されたＷＬＡＮ  ＡＰの測定結果報告が許容されないことを指示する場合、前記ＷＬＡＮ測定報告対象は、羅列されたＷＬＡＮ  ＡＰであることを特徴とする請求項８に記載の方法。
【請求項１２】
前記ＷＬＡＮ測定設定は、サービングセルから受信されることを特徴とする請求項１に記載の方法。
【請求項１３】
前記指示子は、前記測定対象に含まれることを特徴とする請求項１に記載の方法。
【請求項１４】
無線通信システムにおけるＷＬＡＮ測定（Ｗｉｒｅｌｅｓｓ  Ｌｏｃａｌ  Ａｒｅａ  Ｎｅｔｗｏｒｋ  Ｍｅａｓｕｒｅｍｅｎｔ）を実行する端末において、
メモリ；送受信機；及び、前記メモリと前記送受信機を連結するプロセッサ；を含み、前記プロセッサは、
前記送受信機が指示子及び測定対象を含むＷＬＡＮ測定設定を受信するように制御し、
前記指示子に基づいてＷＬＡＮ測定実行対象を決定し、
前記決定されたＷＬＡＮ測定実行対象に対してＷＬＡＮ測定を実行するように構成され、
前記指示子は、前記端末により検出された（ｄｅｔｅｃｔｅｄ）ＷＬＡＮ  ＡＰの測定が許容されるかどうかを指示することを特徴とする端末。
【請求項１５】
前記指示子が前記検出されたＷＬＡＮ  ＡＰの測定が許容されることを指示する場合、前記ＷＬＡＮ測定実行対象は、羅列された（ｌｉｓｔｅｄ）ＷＬＡＮ  ＡＰ及び前記検出されたＷＬＡＮ  ＡＰであることを特徴とする請求項１４に記載の端末。
【発明の詳細な説明】
【技術分野】
【０００１】
本発明は、無線通信システムに関し、より詳しくは、無線通信システムにおける端末がＷＬＡＮ測定を実行する方法及びこれをサポートする装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
一方、無線通信システムは、複数のアクセスネットワークを介したサービスを端末に提供することをサポートすることができる。端末は、モバイル無線通信システムのような３ＧＰＰアクセスネットワークからサービスの提供を受けることができ、また、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）のような非３ＧＰＰアクセスネットワークからサービスの提供を受けることができる。
【０００４】
無線ＬＡＮ（ＷＬＡＮ；ｗｉｒｅｌｅｓｓ  ｌｏｃａｌ  ａｒｅａ  ｎｅｔｗｏｒｋ）は、無線周波数技術に基づいて個人携帯用情報端末機（ＰＤＡ；ｐｅｒｓｏｎａｌ  ｄｉｇｉｔａｌ  ａｓｓｉｓｔａｎｔ）、ラップトップコンピュータ、携帯用マルチメディアプレーヤー（ＰＭＰ；ｐｏｒｔａｂｌｅ  ｍｕｌｔｉｍｅｄｉａ  ｐｌａｙｅｒ）等のような携帯用端末機を利用してホームや企業または特定サービス提供地域で無線でインターネットに接続できるようにする技術である。
【発明の概要】
【発明が解決しようとする課題】
【０００５】
ＷＬＡＮ測定の場合、ＷＬＡＮ測定設定により羅列されたＷＬＡＮ  ＡＰ以外に検出されたＷＬＡＮ  ＡＰの測定及び測定結果報告は、適切でない。ただし、ネットワークは、ＳＯＮ目的などを達成するために、測定設定により羅列されたＷＬＡＮ  ＡＰ以外に端末により検出されたＷＬＡＮ  ＡＰの測定結果報告を必要とすることができる。したがって、端末がＷＬＡＮ測定設定により羅列されたＷＬＡＮ  ＡＰだけでなく、端末により検出されたＷＬＡＮ  ＡＰの測定結果をネットワークに報告することが必要である。
【課題を解決するための手段】
【０００６】
一実施例において、無線通信システムにおける端末がＷＬＡＮ測定（Ｗｉｒｅｌｅｓｓ  Ｌｏｃａｌ  Ａｒｅａ  Ｎｅｔｗｏｒｋ  Ｍｅａｓｕｒｅｍｅｎｔ）を実行する方法が提供される。前記端末は、指示子及び測定対象を含むＷＬＡＮ測定設定を受信し、前記指示子に基づいてＷＬＡＮ測定実行対象を決定し、前記決定されたＷＬＡＮ測定実行対象に対してＷＬＡＮ測定を実行することを含み、前記指示子は、前記端末により検出された（ｄｅｔｅｃｔｅｄ）ＷＬＡＮ  ＡＰの測定が許容されるかどうかを指示する。
【０００７】
前記指示子が前記検出されたＷＬＡＮ  ＡＰの測定が許容されることを指示する場合、前記ＷＬＡＮ測定実行対象は、羅列された（ｌｉｓｔｅｄ）ＷＬＡＮ  ＡＰ及び前記検出されたＷＬＡＮ  ＡＰである。前記測定対象がＷＬＡＮ周波数情報を含む場合、前記検出されたＷＬＡＮ  ＡＰは、前記ＷＬＡＮ周波数情報に羅列されたＷＬＡＮ周波数上のＷＬＡＮ  ＡＰである。前記羅列されたＷＬＡＮ  ＡＰは、ＷＬＡＮ周波数リスト、ＷＬＡＮ  ＡＰ ＩＤリスト、ＷＬＡＮ  ＡＰグループＩＤリストのうち少なくともいずれか一つを含む。前記検出されたＷＬＡＮ  ＡＰは、前記羅列されたＷＬＡＮ  ＡＰに含まれず、前記端末により検出されたＷＬＡＮ  ＡＰである。
【０００８】
前記指示子が前記検出されたＷＬＡＮ  ＡＰの測定が許容されないことを指示する場合、前記ＷＬＡＮ測定実行対象は、羅列されたＷＬＡＮ  ＡＰである。
【０００９】
前記端末は、ＷＬＡＮ測定結果を報告することをさらに含む。
【００１０】
前記端末は、前記指示子に基づいてＷＬＡＮ測定報告対象を決定し、前記決定されたＷＬＡＮ測定報告対象に対してＷＬＡＮ測定結果を報告することをさらに含み、前記指示子は、前記端末により検出されたＷＬＡＮ  ＡＰの測定結果報告が許容されるかどうかを指示する。
【００１１】
前記指示子が前記検出されたＷＬＡＮ  ＡＰの測定結果報告が許容されることを指示する場合、前記ＷＬＡＮ測定報告対象は、羅列されたＷＬＡＮ  ＡＰ及び前記検出されたＷＬＡＮ  ＡＰである。前記測定対象がＷＬＡＮ周波数情報を含む場合、前記検出されたＷＬＡＮ  ＡＰは、前記ＷＬＡＮ周波数情報に羅列されたＷＬＡＮ周波数上のＷＬＡＮ  ＡＰである。
【００１２】
前記指示子が前記検出されたＷＬＡＮ  ＡＰの測定結果報告が許容されないことを指示する場合、前記ＷＬＡＮ測定報告対象は、羅列されたＷＬＡＮ  ＡＰである。
【００１３】
前記ＷＬＡＮ測定設定は、サービングセルから受信される。
【００１４】
前記指示子は、前記測定対象に含まれる。
【００１５】
他の実施例において、無線通信システムにおけるＷＬＡＮ測定（Ｗｉｒｅｌｅｓｓ  Ｌｏｃａｌ  Ａｒｅａ  Ｎｅｔｗｏｒｋ  Ｍｅａｓｕｒｅｍｅｎｔ）を実行する端末が提供される。前記端末は、メモリ；送受信機；及び、前記メモリと前記送受信機を連結するプロセッサ；を含み、前記プロセッサは、前記送受信機が指示子及び測定対象を含むＷＬＡＮ測定設定を受信するように制御し、前記指示子に基づいてＷＬＡＮ測定実行対象を決定し、前記決定されたＷＬＡＮ測定実行対象に対してＷＬＡＮ測定を実行するように構成され、前記指示子は、前記端末により検出された（ｄｅｔｅｃｔｅｄ）ＷＬＡＮ  ＡＰの測定が許容されるかどうかを指示する。
【発明の効果】
【００１６】
端末は、端末により検出されたＷＬＡＮ  ＡＰの測定または測定された結果の報告を選択的に実行することができる。
【図面の簡単な説明】
【００１７】
【図１】ＬＴＥシステムの構造を示す。
【図２】制御平面に対するＬＴＥシステムの無線インターフェースプロトコルを示す。
【図３】ユーザ平面に対するＬＴＥシステムの無線インターフェースプロトコルを示す。
【図４】初期電源がオンになったＲＲＣアイドル状態の端末がセル選択過程を介してネットワークに登録し、必要な場合、セル再選択をする手順を示す。
【図５】ＲＲＣ接続を設定する過程を示す。
【図６】ＲＲＣ接続再構成手順を示す。
【図７】ＲＲＣ接続再確立手順を示す。
【図８】既存の測定実行方法を示す。
【図９】無線ＬＡＮ（ｗｉｒｅｌｅｓｓ  ｌｏｃａｌ  ａｒｅａ  ｎｅｔｗｏｒｋ、ＷＬＡＮ）の構造を示す。
【図１０】本発明の一実施例によって、端末がＷＬＡＮ測定及びＷＬＡＮ測定報告を実行する方法を示す。
【図１１】本発明の一実施例によって、端末がＷＬＡＮ測定を実行する方法を示すブロック図である。
【図１２】本発明の実施例が具現される無線通信システムのブロック図である。
【発明を実施するための形態】
【００１８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１９】
説明を明確にするために、ＬＴＥ−Ａを中心に記述するが、本発明の技術的思想がこれに制限されるものではない。
【００２０】
図１は、ＬＴＥシステムの構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００２１】
図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００２２】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００２３】
以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００２４】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００２５】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００２６】
ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多数関係（ｍａｎｙ−ｔｏ−ｍａｎｙ−ｒｅｌａｔｉｏｎ）をサポートする。
【００２７】
ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００２８】
図２は、制御平面に対するＬＴＥシステムの無線インターフェースプロトコルを示す。図３は、ユーザ平面に対するＬＴＥシステムの無線インターフェースプロトコルを示す。
【００２９】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００３０】
物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００３１】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００３２】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００３３】
トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００３４】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００３５】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００３６】
論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００３７】
制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しない時、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００３８】
トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３９】
論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００４０】
ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００４１】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００４２】
ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００４３】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００４４】
図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００４５】
図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００４６】
以下、端末のＲＲＣ状態（ＲＲＣ  ｓｔａｔｅ）とＲＲＣ接続方法に対して詳述する。
【００４７】
ＲＲＣ状態は、端末のＲＲＣ階層がＥ−ＵＴＲＡＮのＲＲＣ階層と論理的に連結されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。端末のＲＲＣ階層とＥ−ＵＴＲＡＮのＲＲＣ階層との間のＲＲＣ接続が設定されている時、端末は、ＲＲＣ接続状態になり、そうでない場合、端末は、ＲＲＣアイドル状態になる。ＲＲＣ＿ＣＯＮＮＥＣＴＥＤの端末は、Ｅ−ＵＴＲＡＮとＲＲＣ接続が設定されているため、Ｅ−ＵＴＲＡＮは、ＲＲＣ＿ＣＯＮＮＥＣＴＥＤの端末の存在を把握することができ、端末を効果的に制御することができる。一方、Ｅ−ＵＴＲＡＮは、ＲＲＣ＿ＩＤＬＥの端末を把握することができず、核心ネットワーク（ＣＮ；ｃｏｒｅ  ｎｅｔｗｏｒｋ）がセルより大きい領域であるトラッキング領域（ｔｒａｃｋｉｎｇ  ａｒｅａ）単位で端末を管理する。即ち、ＲＲＣ＿ＩＤＬＥの端末は、より大きい領域の単位で存在のみが把握され、音声またはデータ通信のような通常の移動通信サービスを受けるために、端末は、ＲＲＣ＿ＣＯＮＮＥＣＴＥＤに遷移しなければならない。
【００４８】
ＲＲＣ＿ＩＤＬＥ状態で、端末がＮＡＳにより設定されたＤＲＸ（ｄｉｓｃｏｎｔｉｎｕｏｕｓ  ｒｅｃｅｐｔｉｏｎ）を指定する間に、端末は、システム情報及びページング情報の放送を受信することができる。そして、端末は、トラッキング領域で端末を固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥ状態で、どのようなＲＲＣ  ｃｏｎｔｅｘｔもｅＮＢに格納されない。
【００４９】
ＲＲＣ＿ＣＯＮＮＥＣＴＥＤ状態で、端末は、Ｅ−ＵＴＲＡＮでＥ−ＵＴＲＡＮ  ＲＲＣ接続及びＲＲＣ  ｃｏｎｔｅｘｔを有し、ｅＮＢにデータを送信及び／またはｅＮＢからデータを受信することが可能である。また、端末は、ｅＮＢにチャネル品質情報及びフィードバック情報を報告することができる。ＲＲＣ＿ＣＯＮＮＥＣＴＥＤ状態で、Ｅ−ＵＴＲＡＮは、端末が属するセルを知ることができる。したがって、ネットワークは、端末にデータを送信及び／または端末からデータを受信することができ、ネットワークは、端末の移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは、隣接セルのためにセル測定を実行することができる。
【００５０】
ＲＲＣ＿ＩＤＬＥ状態で、端末は、ページングＤＲＸ周期を指定する。具体的に、端末は、端末特定ページングＤＲＸ周期毎の特定ページングオケージョン（ｐａｇｉｎｇ  ｏｃｃａｓｉｏｎ）にページング信号をモニタリングする。ページングオケージョンは、ページング信号が送信される間の時間間隔である。端末は、自分のみのページングオケージョンを有している。
【００５１】
ページングメッセージは、同じトラッキング領域に属する全てのセルにわたって送信される。もし、端末が一つのトラッキング領域から他の一つのトラッキング領域に移動すると、端末は、位置をアップデートするためにＴＡＵ（ｔｒａｃｋｉｎｇ  ａｒｅａ  ｕｐｄａｔｅ）メッセージをネットワークに送信する。
【００５２】
ユーザが端末の電源を最初オンにした時、まず、端末は、適切なセルを探索した後、該当セルでＲＲＣ＿ＩＤＬＥにとどまる。ＲＲＣ接続を確立する必要がある時、ＲＲＣ＿ＩＤＬＥ状態の端末は、ＲＲＣ接続手順を介してＥ−ＵＴＲＡＮのＲＲＣとＲＲＣ接続を確立してＲＲＣ＿ＣＯＮＮＥＣＴＥＤに遷移できる。ＲＲＣ＿ＩＤＬＥ状態の端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００５３】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態となる。
【００５４】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態となる。端末がＥＣＭ−ＩＤＬＥ状態にある時、Ｅ−ＵＴＲＡＮは、端末のｃｏｎｔｅｘｔ情報を有していない。したがって、ＥＣＭ−ＩＤＬＥ状態の端末は、ネットワークの命令を受ける必要無しで、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と変わる場合、端末は、トラッキング領域更新（Ｔｒａｃｋｉｎｇ  Ａｒｅａ  Ｕｐｄａｔｅ）手順を介してネットワークに端末の該当位置を知らせる。
【００５５】
図４は、初期電源がオンになったＲＲＣアイドル状態の端末がセル選択過程を介してネットワークに登録し、必要な場合、セル再選択をする手順を示す。
【００５６】
図４を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオアクセス技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することができ、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されていることを使用することもできる。
【００５７】
端末は、測定した基地局と信号強度や品質が特定の値より大きいセルの中から最も大きい値を有するセルを選択する（Ｃｅｌｌ  Ｓｅｌｅｃｔｉｏｎ）（Ｓ４２０）。これは電源がオンになった端末がセル選択を実行することであり、初期セル選択（ｉｎｉｔｉａｌ  ｃｅｌｌ  ｓｅｌｅｃｔｉｏｎ）ということができる。セル選択手順に対して以後に詳述する。セル選択以後、端末は、基地局が周期的に送るシステム情報を受信する。前記特定の値は、データ送／受信での物理的信号に対する品質の保証を受けるためにシステムで定義された値を意味する。したがって、その値は、適用されるＲＡＴによって異なる。
【００５８】
端末は、ネットワーク登録必要がある場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびに接続するネットワークに登録をするものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録をする。
【００５９】
端末は、セルで提供されるサービス環境または端末の環境などに基づいてセル再選択を実行する（Ｓ４４０）。端末は、サービスを受けている基地局から測定した信号の強度や品質の値が隣接したセルの基地局から測定した値より低い場合、端末が接続した基地局のセルより良い信号特性を提供する他のセルの中から一つを選択する。この過程を２番過程の初期セル選択（Ｉｎｉｔｉａｌ  Ｃｅｌｌ  Ｓｅｌｅｃｔｉｏｎ）と区分するためにセル再選択（Ｃｅｌｌ  Ｒｅ−Ｓｅｌｅｃｔｉｏｎ）という。このとき、信号特性の変化によって頻繁にセルが再選択されることを防止するために時間的な制約条件をおく。セル再選択手順に対して以後に詳述する。
【００６０】
図５は、ＲＲＣ接続を設定する過程を示す。
【００６１】
端末は、ＲＲＣ接続を要求するＲＲＣ接続要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ接続要求に対する応答としてＲＲＣ接続設定（ＲＲＣ  Ｃｏｎｎｅｃｔｉｏｎ  Ｓｅｔｕｐ）メッセージを送る（Ｓ５２０）。ＲＲＣ接続設定メッセージを受信した後、端末は、ＲＲＣ接続モードに進入する。
【００６２】
端末は、ＲＲＣ接続確立の成功的な完了を確認するために使われるＲＲＣ接続設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００６３】
図６は、ＲＲＣ接続再構成手順を示す。
【００６４】
ＲＲＣ接続再構成（ｒｅｃｏｎｆｉｇｕｒａｔｉｏｎ）は、ＲＲＣ接続の修正に使われる。これはＲＢ構成／修正（ｍｏｄｉｆｙ）／解除（ｒｅｌｅａｓｅ）、ハンドオーバ実行、測定セットアップ／修正／解除するために使われる。
【００６５】
ネットワークは、端末にＲＲＣ接続を修正するためのＲＲＣ接続再構成（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ接続再構成に対する応答として、ＲＲＣ接続再構成の成功的な完了を確認するために使われるＲＲＣ接続再構成完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００６６】
以下、端末がセルを選択する手順に対して詳細に説明する。
【００６７】
電源がオンになり、またはセルにとどまっている時、端末は、適切な品質のセルを選択／再選択してサービスを受けるための手順を実行する。
【００６８】
ＲＲＣアイドル状態の端末は、常に適切な品質のセルを選択し、このセルを介してサービスの提供を受けるための準備をしなければならない。例えば、電源がオンになった端末は、ネットワークに登録をするために適切な品質のセルを選択しなければならない。ＲＲＣ接続状態の前記端末がＲＲＣアイドル状態に進入すると、前記端末は、ＲＲＣアイドル状態でとどまるセルを選択しなければならない。このように、前記端末がＲＲＣアイドル状態のようなサービス待機状態にとどまっているために、ある条件を満たすセルを選択する過程をセル選択（Ｃｅｌｌ  Ｓｅｌｅｃｔｉｏｎ）という。重要な点は、前記セル選択は、前記端末が前記ＲＲＣアイドル状態にとどまっているセルを現在決定することができない状態で実行するため、可能な限り速やかにセルを選択することが何より重要である。したがって、一定基準以上の無線信号品質を提供するセルの場合は、たとえ、このセルが端末に最も良い無線信号品質を提供するセルでないとしても、端末のセル選択過程で選択されることができる。
【００６９】
以下、３ＧＰＰ  ＬＴＥにおいて、端末がセルを選択する方法及び手順に対して詳述する。
【００７０】
セル選択過程は、大いに、二つに分けられる。
【００７１】
まず、初期セル選択過程であって、この過程では前記端末が無線チャネルに対する事前情報がない。したがって、前記端末は、適切なセルを探すために全ての無線チャネルを検索する。各チャネルで、前記端末は、最も強いセルを探す。以後、前記端末がセル選択基準を満たす適切な（ｓｕｉｔａｂｌｅ）セルを探した時、該当セルを選択する。
【００７２】
次に、端末は、格納された情報を活用し、またはセルで放送している情報を活用してセルを選択することができる。したがって、初期セル選択過程に比べてセル選択が迅速である。端末がセル選択基準を満たすセルを探した時、該当セルを選択する。もし、この過程を介してセル選択基準を満たす適切なセルを探すことができない場合、端末は、初期セル選択過程を実行する。
【００７３】
前記端末がセル選択過程を介してどんなセルを選択した以後、端末の移動性または無線環境の変化などで、端末と基地局との間の信号の強度や品質が変わることができる。したがって、もし、選択したセルの品質が低下される場合、端末は、より良い品質を提供する他のセルを選択することができる。このようにセルを再び選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００７４】
無線信号の品質観点以外に、ネットワークは、周波数別に優先順位を決定して端末に知らせることができる。このような優先順位を受信した端末は、セル再選択過程でこの優先順位を無線信号品質基準より優先的に考慮するようになる。
【００７５】
前記のように無線環境の信号特性によってセルを選択または再選択する方法があり、セル再選択時、再選択のためのセルを選択するにあたって、セルのＲＡＴと周波数（ｆｒｅｑｕｅｎｃｙ）特性によって下記のようなセル再選択方法がある。
【００７６】
−イントラ周波数（Ｉｎｔｒａ−ｆｒｅｑｕｅｎｃｙ）セル再選択：端末がキャンプ（ｃａｍｐ）中であるセルと同じＲＡＴと同じ中心周波数（ｃｅｎｔｅｒ−ｆｒｅｑｕｅｎｃｙ）を有するセルを再選択する。
【００７７】
−インター周波数（Ｉｎｔｅｒ−ｆｒｅｑｕｅｎｃｙ）セル再選択：端末がキャンプ中であるセルと同じＲＡＴと異なる中心周波数を有するセルを再選択する。
【００７８】
−インターＲＡＴ（Ｉｎｔｅｒ−ＲＡＴ）セル再選択：端末がキャンプ中であるＲＡＴと異なるＲＡＴを使用するセルを再選択する。
【００７９】
セル再選択過程の原則は、下記の通りである。
【００８０】
第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００８１】
第二に、セル再選択は、セル再選択基準に基づいて実行される。セル再選択基準は、サービングセル及び隣接セル測定に関連して以下のような特性を有している。
【００８２】
イントラ周波数セル再選択は、基本的にランキング（ｒａｎｋｉｎｇ）に基づいて行われる。ランキングとは、セル再選択評価のための指標値を定義し、この指標値を利用してセルを指標値の大きさ順に順序付ける作業である。最も良い指標を有するセルを一般的に最高順位セル（ｈｉｇｈｅｓｔ  ｒａｎｋｅｄ  ｃｅｌｌ）と呼ぶ。セル指標値は、端末が該当セルに対して測定した値を基本にして、必要によって周波数オフセットまたはセルオフセットを適用した値である。
【００８３】
インター周波数セル再選択は、ネットワークにより提供された周波数優先順位に基づいて行われる。端末は、最も高い周波数優先順位を有する周波数にとどまる（ｃａｍｐ  ｏｎ）するように試みる。ネットワークは、ブロードキャストシグナリング（ｂｒｏａｄｃａｓｔ  ｓｉｇｎａｌｉｎｇ）を介してセル内の端末が共通的に適用する周波数優先順位を提供し、または、端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）ということができ、端末別にネットワークが設定するセル再選択優先順位を専用優先順位（ｄｅｄｉｃａｔｅｄ  ｐｒｉｏｒｉｔｙ）ということができる。端末は、専用優先順位を受信すると、専用優先順位と関連した有効時間（ｖａｌｉｄｉｔｙ  ｔｉｍｅ）を共に受信することができる。端末は、専用優先順位を受信すると、共に受信した有効時間として設定された有効性タイマ（ｖａｌｉｄｉｔｙ  ｔｉｍｅｒ）を開始する。端末は、有効性タイマが動作する間に、ＲＲＣアイドルモードで専用優先順位を適用する。有効性タイマが満了されると、端末は、専用優先順位を廃棄し、再び共用優先順位を適用する。
【００８４】
インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００８５】
イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を端末に提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００８６】
イントラ周波数またはインター周波数セル再選択のために、ネットワークは、端末にセル再選択に使われるセル再選択禁止リスト（ｂｌａｃｋ  ｌｉｓｔ）を端末に提供することができる。禁止リストに含まれているセルに対し、端末は、セル再選択を実行しない。
【００８７】
次に、セル再選択評価過程で実行するランキングに対して説明する。
【００８８】
セルの優先順位付けに使われるランキング指標（ｒａｎｋｉｎｇ  ｃｒｉｔｅｒｉｏｎ）は、数式１のように定義される。
【００８９】
【数１】
2018525921.tif 000003
【００９０】
ここで、Ｒｓはサービングセルのランキング指標であり、Ｒｎは隣接セルのランキング指標であり、Ｑｍｅａｓ、ｓは端末がサービングセルに対して測定した品質値であり、Ｑｍｅａｓ、ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【００９１】
イントラ周波数で、端末がサービングセルと隣接セルとの間のオフセット（Ｑｏｆｆｓｅｔｓ、ｎ）を受信した場合にはＱｏｆｆｓｅｔ＝Ｑｏｆｆｓｅｔｓ、ｎであり、端末がＱｏｆｆｓｅｔｓ、ｎを受信しない場合にはＱｏｆｆｓｅｔ＝０である。
【００９２】
インター周波数で、端末が該当セルに対するオフセット（Ｑｏｆｆｓｅｔｓ、ｎ）を受信した場合、Ｑｏｆｆｓｅｔ＝Ｑｏｆｆｓｅｔｓ、ｎ＋Ｑｆｒｅｑｕｅｎｃｙであり、端末がＱｏｆｆｓｅｔｓ、ｎを受信しない場合、Ｑｏｆｆｓｅｔ＝Ｑｆｒｅｑｕｅｎｃｙである。
【００９３】
サービングセルのランキング指標（Ｒｓ）と隣接セルのランキング指標（Ｒｎ）が互いに類似している状態で変動すると、変動結果、ランキング順位が頻繁に変わって端末が二つのセルを交互に再選択することができる。Ｑｈｙｓｔは、セル再選択でヒステリシスを与え、端末が二つのセルを交互に再選択することを防止のためのパラメータである。
【００９４】
端末は、前記数式によってサービングセルのＲｓ及び隣接セルのＲｎを測定し、ランキング指標値が最も大きい値を有するセルを最高順位（ｈｉｇｈｅｓｔ  ｒａｎｋｅｄ）セルと見なし、このセルを再選択する。もし、再選択したセルが正規セル（ｓｕｉｔａｂｌｅ  ｃｅｌｌ）でない場合、端末は、該当周波数または該当セルをセル再選択対象から除外する。
【００９５】
図７は、ＲＲＣ接続再確立手順を示す。
【００９６】
図７を参照すると、端末は、ＳＲＢ  ０（Ｓｉｇｎａｌｉｎｇ  Ｒａｄｉｏ  Ｂｅａｒｅｒ  ＃０）を除外して設定された全ての無線ベアラ（ｒａｄｉｏ  ｂｅａｒｅｒ）使用を中断し、ＡＳ（Ａｃｃｅｓｓ  Ｓｔｒａｔｕｍ）の各種副階層を初期化させる（Ｓ７１０）。また、各副階層及び物理階層を基本構成（ｄｅｆａｕｌｔ  ｃｏｎｆｉｇｕｒａｔｉｏｎ）として設定する。このような過程中、端末は、ＲＲＣ接続状態を維持する。
【００９７】
端末は、ＲＲＣ接続再確立手順を実行するためのセル選択手順を実行する（Ｓ７２０）。ＲＲＣ接続再確立手順のうちセル選択手順は、端末がＲＲＣ接続状態を維持しているにもかかわらず、端末がＲＲＣアイドル状態で実行するセル選択手順と同じく実行されることができる。
【００９８】
端末は、セル選択手順を実行した後、該当セルのシステム情報を確認して該当セルが適したセルかどうかを判断する（Ｓ７３０）。もし、選択されたセルが適切なＥ−ＵＴＲＡＮセルと判断された場合、端末は、該当セルとＲＲＣ接続再確立要求メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を送信する（Ｓ７４０）。
【００９９】
一方、ＲＲＣ接続再確立手順を実行するためのセル選択手順を介して選択されたセルがＥ−ＵＴＲＡＮ以外の他のＲＡＴを使用するセルと判断された場合、ＲＲＣ接続再確立手順を中断し、端末は、ＲＲＣアイドル状態に進入する（Ｓ７５０）。
【０１００】
端末は、セル選択手順及び選択したセルのシステム情報受信を介してセルの適切性確認は、制限された時間内に終えるように具現されることができる。そのために、端末は、ＲＲＣ接続再確立手順を開始することによってタイマを駆動させることができる。タイマは、端末が適したセルを選択したと判断された場合、中断されることができる。タイマが満了された場合、端末は、ＲＲＣ接続再確立手順が失敗したと見なしてＲＲＣアイドル状態に進入できる。このタイマを以下で無線リンク失敗タイマという。ＬＴＥスペックＴＳ３６．３３１ではＴ３１１という名称のタイマが無線リンク失敗タイマとして活用されることができる。端末は、このタイマの設定値をサービングセルのシステム情報から取得できる。
【０１０１】
端末からＲＲＣ接続再確立要求メッセージを受信して要求を受諾した場合、セルは、端末にＲＲＣ接続再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を送信する。
【０１０２】
セルからＲＲＣ接続再確立メッセージを受信した端末は、ＳＲＢ１に対するＰＤＣＰ副階層とＲＬＣ副階層を再構成する。また、セキュリティ設定と関連した各種キー値を再び計算し、セキュリティを担当するＰＤＣＰ副階層を新しく計算したセキュリティキー値で再構成する。それによって、端末とセルとの間のＳＲＢ１が開放されてＲＲＣ制御メッセージをやり取りすることができるようになる。端末は、ＳＲＢ１の再開を完了し、セルにＲＲＣ接続再確立手順が完了したというＲＲＣ接続再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を送信する（Ｓ７６０）。
【０１０３】
それに対し、端末からＲＲＣ接続再確立要求メッセージを受信して要求を受諾しない場合、セルは、端末にＲＲＣ接続再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を送信する。
【０１０４】
ＲＲＣ接続再確立手順が成功的に実行されると、セルと端末は、ＲＲＣ接続再確立手順を実行する。それによって、端末は、ＲＲＣ接続再確立手順を実行する前の状態を回復し、サービスの連続性を最大限保障する。
【０１０５】
図８は、既存の測定実行方法を示す。
【０１０６】
端末は、基地局から測定設定（ｍｅａｓｕｒｅｍｅｎｔ  ｃｏｎｆｉｇｕｒａｔｉｏｎ）情報を受信する（Ｓ８１０）。測定設定情報を含むメッセージを測定設定メッセージという。端末は、測定設定情報に基づいて測定を実行する（Ｓ８２０）。端末は、測定結果が測定設定情報内の報告条件を満たす場合、測定結果を基地局に報告する（Ｓ８３０）。測定結果を含むメッセージを測定報告メッセージという。
【０１０７】
測定設定情報は、下記のような情報を含むことができる。
【０１０８】
（１）測定対象（Ｍｅａｓｕｒｅｍｅｎｔ  ｏｂｊｅｃｔ）情報：端末が測定を実行する対象に対する情報である。測定対象は、セル内測定の対象であるイントラ周波数測定対象、セル間測定の対象であるインター周波数測定対象、及びインターＲＡＴ測定の対象であるインターＲＡＴ測定対象のうち少なくともいずれか一つを含む。例えば、イントラ周波数測定対象は、サービングセルと同じ周波数バンドを有する隣接セルを指示し、インター周波数測定対象は、サービングセルと異なる周波数バンドを有する隣接セルを指示し、インターＲＡＴ測定対象は、サービングセルのＲＡＴと異なるＲＡＴの隣接セルを指示することができる。
【０１０９】
（２）報告設定（Ｒｅｐｏｒｔｉｎｇ  ｃｏｎｆｉｇｕｒａｔｉｏｎ）情報：端末が測定結果を送信することをいつ報告するかに対する報告条件及び報告タイプ（ｔｙｐｅ）に対する情報である。報告設定情報は、報告設定のリストで構成されることができる。各報告設定は、報告基準（ｒｅｐｏｒｔｉｎｇ  ｃｒｉｔｅｒｉｏｎ）及び報告フォーマット（ｒｅｐｏｒｔｉｎｇ  ｆｏｒｍａｔ）を含むことができる。報告基準は、端末が測定結果を送信することをトリガする基準である。報告基準は、測定報告の周期または測定報告のための単一イベントである。報告フォーマットは、端末が測定結果をどのようなタイプで構成するかに対する情報である。
【０１１０】
（３）測定識別子（Ｍｅａｓｕｒｅｍｅｎｔ  ｉｄｅｎｔｉｔｙ）情報：測定対象と報告設定を連関させ、端末がどのような測定対象に対していつどのようなタイプに報告するかを決定するようにする測定識別子に対する情報である。測定識別子情報は、測定報告メッセージに含まれ、測定結果がどのような測定対象に対することであり、測定報告がどのような報告条件で発生したかを示すことができる。
【０１１１】
（４）量的設定（Ｑｕａｎｔｉｔｙ  ｃｏｎｆｉｇｕｒａｔｉｏｎ）情報：測定単位、報告単位及び／または測定結果値のフィルタリングを設定するためのパラメータに対する情報である。
【０１１２】
（５）測定ギャップ（Ｍｅａｓｕｒｅｍｅｎｔ  ｇａｐ）情報：ダウンリンク送信またはアップリンク送信がスケジューリングされなくて、端末がサービングセルとのデータ送信に対する考慮無しで測定のみのために使われることができる区間である測定ギャップに対する情報である。
【０１１３】
端末は、測定手順を実行するために、測定対象リスト、測定報告設定リスト及び測定識別子リストを有している。
【０１１４】
３ＧＰＰ  ＬＴＥにおいて、基地局は、端末に一つの周波数バンドに対して一つの測定対象のみを設定することができる。表１は、測定報告が誘発されるイベントである。端末の測定結果が設定されたイベントを満たす場合、端末は、測定報告メッセージを基地局に送信する。
【０１１５】
【表１】
2018525921.tif 000004
【０１１６】
測定報告は、測定識別子、サービングセルの測定された品質及び隣接セル（ｎｅｉｇｈｂｏｒｉｎｇ  ｃｅｌｌ）の測定結果を含むことができる。測定識別子は、測定報告がトリガされた測定対象を識別する。隣接セルの測定結果は、隣接セルのセル識別子及び測定された品質を含むことができる。測定された品質は、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）のうち少なくとも一つを含むことができる。
【０１１７】
図９は、無線ＬＡＮ（ｗｉｒｅｌｅｓｓ  ｌｏｃａｌ  ａｒｅａ  ｎｅｔｗｏｒｋ、ＷＬＡＮ）の構造を示す。図９（ａ）は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。図９（ｂ）は、独立ＢＳＳを示す。
【０１１８】
図９（ａ）を参照すると、無線ＬＡＮシステムは、一つまたはそれ以上の基本サービスセット（Ｂａｓｉｃ  Ｓｅｒｖｉｃｅ  Ｓｅｔ、ＢＳＳ）９００、９０５を含むことができる。ＢＳＳ９００、９０５は、成功的に同期化されて互いに通信できるＡＰ（ａｃｃｅｓｓ  ｐｏｉｎｔ）９２５及びＳＴＡ１（Ｓｔａｔｉｏｎ）９００−１のようなＡＰとＳＴＡのセットであって、特定領域を示す概念ではない。ＢＳＳ９０５は、一つのＡＰ９３０に一つ以上の結合可能なＳＴＡ９０５−１、９０５−２を含むこともできる。
【０１１９】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ９２５、９３０及び多数のＡＰを連結させる分散システム（Ｄｉｓｔｒｉｂｕｔｉｏｎ  Ｓｙｓｔｅｍ、ＤＳ）９１０を含むことができる。
【０１２０】
分散システム９１０は、多数のＢＳＳ９００、９０５を連結して拡張されたサービスセットであるＥＳＳ（ｅｘｔｅｎｄｅｄ  ｓｅｒｖｉｃｅ  ｓｅｔ）９４０を具現することができる。ＥＳＳ９４０は、一つまたは複数個のＡＰ９２５、９３０が分散システム９１０を介して連結してなされた一つのネットワークを指示する用語として使われることができる。一つのＥＳＳ９４０に含まれるＡＰは、同じＳＳＩＤ（ｓｅｒｖｉｃｅ  ｓｅｔ  ｉｄｅｎｔｉｆｉｃａｔｉｏｎ）を有することができる。
【０１２１】
ポータル（ｐｏｒｔａｌ）９２０は、無線ＬＡＮネットワーク（ＩＥＥＥ８０２．１１）と他のネットワーク（例えば、８０２．Ｘ）との連結を実行するブリッジ役割を遂行することができる。
【０１２２】
図９（ａ）のようなインフラストラクチャネットワークでは、ＡＰ９２５、９３０間のネットワーク及びＡＰ９２５、９３０とＳＴＡ９００−１、９０５−１、９０５−２との間のネットワークが具現されることができる。しかし、ＡＰ９２５、９３０無しでＳＴＡ間でもネットワークを設定して通信を実行することも可能である。ＡＰ９２５、９３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【０１２３】
図９（ｂ）を参照すると、独立ＢＳＳ（ｉｎｄｅｐｅｎｄｅｎｔ  ＢＳＳ、ＩＢＳＳ）は、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳでは、ＳＴＡ９５０−１、９５０−２、９５０−３、９５５−４、９５５−５が分散された方式（ｄｉｓｔｒｉｂｕｔｅｄ  ｍａｎｎｅｒ）で管理される。ＩＢＳＳでは、全てのＳＴＡ９５０−１、９５０−２、９５０−３、９５５−４、９５５−５が移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）をなす。
【０１２４】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であって、広義では、ＡＰと非ＡＰ  ＳＴＡ（Ｎｏｎ−ＡＰ  Ｓｔａｔｉｏｎ）を両方とも含む意味で使われることができる。
【０１２５】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動加入者ユニット（Ｍｏｂｉｌｅ  Ｓｕｂｓｃｒｉｂｅｒ  Ｕｎｉｔ）または単純にユーザ（ｕｓｅｒ）などの多様な名称とも呼ばれる。
【０１２６】
以下、ＷＬＡＮ測定に対して説明する。
【０１２７】
ＬＷＡ（ＬＴＥ−ＷＬＡＮ  Ａｇｇｒｅｇａｔｉｏｎ）をサポートする端末は、ＷＬＡＮ測定を実行するようにＥ−ＵＴＲＡＮにより設定されることができる。ＷＬＡＮ測定対象は、ＷＬＡＮ識別子（ＢＳＳＩＤ、ＨＥＳＳＩＤ及びＳＳＩＤ）、ＷＬＡＮチャネル番号及びＷＬＡＮバンドを使用して設定されることができる。ＷＬＡＮ測定報告は、ＲＳＳＩを使用してトリガされることができる。ＷＬＡＮ測定報告は、ＲＳＳＩ、チャネル活用度（ｃｈａｎｎｅｌ  ｕｔｉｌｉｚａｔｉｏｎ）、ステーションカウント（ｓｔａｔｉｏｎ  ｃｏｕｎｔ）、許容能力（ａｄｍｉｓｓｉｏｎ  ｃａｐａｃｉｔｙ）、バックホール速度（ｂａｃｋｈａｕｌ  ｒａｔｅ）及びＷＬＡＮ識別子を含むことができる。ＷＬＡＮ測定は、ＬＷＡ活性、インターＷＬＡＮ移動性セット移動性（Ｉｎｔｅｒ  ＷＬＡＮ  ｍｏｂｉｌｉｔｙ  ｓｅｔ  ｍｏｂｉｌｉｔｙ）またはＬＷＡ非活性のうち少なくともいずれか一つをサポートするために設定されることができる。
【０１２８】
以下、セルのタイプによる測定に対して説明する。
【０１２９】
測定手順は、セルのタイプによって区別されることができる。セルのタイプは、サービングセル、羅列された（Ｌｉｓｔｅｄ）セル及び検出された（Ｄｅｔｅｃｔｅｄ）セルに区分されることができる。前記サービングセルは、キャリアアグリゲーションをサポートする端末に対して構成された場合、ＰＣｅｌｌ及び一つ以上のＳＣｅｌｌである。前記羅列されたセルは、測定対象に羅列されたセルである。前記検出されたセルは、測定対象に羅列されなかったが、測定対象により指示された搬送波周波数上で端末により検出されたセルである。
【０１３０】
Ｅ−ＵＴＲＡの場合、端末は、サービングセル、羅列されたセル及び検出されたセルを測定及び報告することができる。しかし、ＷＬＡＮ測定の場合、特定ＷＬＡＮチャネル上の検出されたＡＰを報告することは、一般的に適切でない。同じチャネル上に、運営者が配布したＡＰと共に運営者が配布しない多数のＡＰが存在できるため、端末が検出されたＡＰを報告することは、シグナリングオーバーヘッドを増加させることができるためである。さらに、基地局は、ＷＬＡＮアグリゲーション（Ａｇｇｒｅｇａｔｉｏｎ）／インターワーキング（Ｉｎｔｅｒｗｏｒｋｉｎｇ）向上（Ｅｎｈａｎｃｅｍｅｎｔ）のために、運営者が配布したＡＰに対する測定結果のみを必要とすることができるためである。前記のような理由で、ＷＬＡＮ測定の場合、特定ＷＬＡＮチャネル上の検出されたＡＰを報告することは、適切でない。しかし、ネットワークは、ＳＯＮ目的のために、運営者が配布しないＡＰの測定結果を取得することを希望することができる。即ち、ネットワークは、運営者が配布しなかったが、端末により検出されたＡＰの測定結果を取得することを希望することができる。以下、本発明の一実施例によって端末がＷＬＡＮ測定を実行し、測定された結果を報告する方法及びこれをサポートする装置に対して説明する。
【０１３１】
図１０は、本発明の一実施例によって、端末がＷＬＡＮ測定及びＷＬＡＮ測定報告を実行する方法を示す。
【０１３２】
１．第１のステップ：端末がＷＬＡＮ測定設定受信（Ｓ１０１０）
【０１３３】
（１）端末は、ＬＴＥサービングセルからＷＬＡＮ測定設定を受信することができる。ＷＬＡＮ測定設定は、測定対象（Ｍｅａｓｕｒｅｍｅｎｔ  Ｏｂｊｅｃｔｓ）、測定指標（Ｍｅａｓｕｒｅｍｅｎｔ  Ｍｅｔｒｉｃｓ）または報告設定（Ｒｅｐｏｒｔｉｎｇ  Ｃｏｎｆｉｇｕｒａｔｉｏｎ）のうち少なくともいずれか一つを含むことができる。
【０１３４】
（２）前記測定対象は、ＷＬＡＮ周波数リスト（即ち、ＷＬＡＮチャネルリスト）、ＷＬＡＮ  ＡＰ ＩＤリストまたはＷＬＡＮ  ＡＰグループＩＤリストのうち少なくともいずれか一つを含むことができる。
【０１３５】
前記測定対象は、指示子を含むことができる。前記指示子は、端末により検出されたＷＬＡＮ  ＡＰの測定が許容されるかどうかを指示することができる。または、前記指示子は、端末により検出されたＷＬＡＮ  ＡＰの測定結果報告が許容されるかどうかを指示することができる。または、前記指示子は、端末により検出されたＷＬＡＮ  ＡＰの測定及び測定結果報告が許容されるかどうかを指示することができる。前記検出されたＷＬＡＮ  ＡＰは、羅列されないＷＬＡＮ  ＡＰである。基地局は、前記指示子を利用して検出されたＷＬＡＮ  ＡＰの測定及び／または測定結果報告が許容されるかどうかを指示することができる。
【０１３６】
（２）前記測定指標は、ＷＬＡＮビーコンＲＳＳＩ（ＷＬＡＮ  Ｂｅａｃｏｎ  ＲＳＳＩ）、ＢＳＳ負荷でチャネル活用度（Ｃｈａｎｎｅｌ  Ｕｔｉｌｉｚａｔｉｏｎｉｎ  ＢＳＳ  Ｌｏａｄ）、アップリンクバックホール速度（ＵＬ  Ｂａｃｋｈａｕｌ  Ｒａｔｅ）、ダウンリンクバックホール速度（ＤＬ  Ｂａｃｋｈａｕｌ  Ｒａｔｅ）、ＳＴＡカウント（Ｓｔａｔｉｏｎ  Ｃｏｕｎｔ）または可用加入（Ａｖａｉｌａｂｌｅ  Ａｄｍｉｓｓｉｏｎ）のうち少なくともいずれか一つである。
【０１３７】
（３）前記報告設定は、報告基準（Ｒｅｐｏｒｔｉｎｇ  Ｃｒｉｔｅｒｉｏｎ）である。
【０１３８】
２．第２のステップ：端末がネットワーク設定によってＷＬＡＮ測定を実行（Ｓ１０２０）
【０１３９】
（１）もし、検出されたＷＬＡＮ  ＡＰ測定が端末に対して許容されない場合、端末は、羅列されたＷＬＡＮ  ＡＰ及び／または羅列されたＷＬＡＮ  ＡＰグループに対してのみＷＬＡＮ測定を実行することができる。即ち、もし、前記指示子が前記検出されたＷＬＡＮ  ＡＰの測定が許容されないことを指示する場合、端末は、羅列されたＷＬＡＮ  ＡＰ及び／または羅列されたＷＬＡＮ  ＡＰグループに対してのみＷＬＡＮ測定を実行することができる。前記羅列されたＷＬＡＮ  ＡＰ及び／または羅列されたＷＬＡＮ  ＡＰグループは、運営者により配布されたＷＬＡＮ  ＡＰ及び／または運営者により配布されたＷＬＡＮ  ＡＰグループである。
【０１４０】
例えば、第１のＷＬＡＮ  ＡＰ及び第２のＷＬＡＮ  ＡＰが測定実行対象に設定されたＷＬＡＮ  ＡＰであり、第３のＷＬＡＮ  ＡＰ及び第４のＷＬＡＮ  ＡＰが端末により検出可能なＷＬＡＮ  ＡＰであると仮定する。もし、検出されたＷＬＡＮ  ＡＰの測定が端末に対して許容されない場合、端末は、第１のＷＬＡＮ  ＡＰ及び第２のＷＬＡＮ  ＡＰに対してのみＷＬＡＮ測定を実行することができる。
【０１４１】
（２）もし、検出されたＷＬＡＮ  ＡＰの測定が端末に対して許容される場合、端末は、羅列されたＷＬＡＮ  ＡＰ及び／または羅列されたＷＬＡＮ  ＡＰグループだけでなく、羅列されないＷＬＡＮ  ＡＰ及び／またはＷＬＡＮ  ＡＰグループに対するＷＬＡＮ測定を実行することができる。即ち、もし、前記指示子が前記検出されたＷＬＡＮ  ＡＰの測定が許容されることを指示する場合、端末は、羅列されたＷＬＡＮ  ＡＰ及び／または羅列されたＷＬＡＮ  ＡＰグループだけでなく、端末により検出されたＷＬＡＮ  ＡＰ及び／または検出されたＷＬＡＮ  ＡＰグループに対するＷＬＡＮ測定を実行することができる。
【０１４２】
−もし、ＷＬＡＮ周波数情報が測定対象に含まれる場合、検出されたＷＬＡＮ  ＡＰ及び／または検出されたＷＬＡＮ  ＡＰグループは、前記ＷＬＡＮ周波数情報に羅列された周波数上のＷＬＡＮ  ＡＰ及び／または羅列された周波数上のＷＬＡＮ  ＡＰグループに制限されることができる。
【０１４３】
−もし、ＷＬＡＮ周波数情報が測定対象に含まれない場合、端末は、全てのＷＬＡＮ周波数上の羅列されないＷＬＡＮ  ＡＰ及び／または羅列されないＷＬＡＮ  ＡＰグループに対するＷＬＡＮ測定を実行することができる。即ち、もし、ＷＬＡＮ周波数情報が測定対象に含まれない場合、端末は、全てのＷＬＡＮ周波数上の検出されたＷＬＡＮ  ＡＰ及び／または検出されたＷＬＡＮ  ＡＰグループに対するＷＬＡＮ測定を実行することができる。
【０１４４】
例えば、第１のＷＬＡＮ  ＡＰ及び第２のＷＬＡＮ  ＡＰが測定対象に設定されたＷＬＡＮ  ＡＰであり、第３のＷＬＡＮ  ＡＰ及び第４のＷＬＡＮ  ＡＰが端末により検出可能なＷＬＡＮ  ＡＰであると仮定する。もし、検出されたＷＬＡＮ  ＡＰ測定が端末に対して許容される場合、端末は、第１のＷＬＡＮ  ＡＰ、第２のＷＬＡＮ  ＡＰ、第３のＷＬＡＮ  ＡＰ及び第４のＷＬＡＮ  ＡＰに対してＷＬＡＮ測定を実行することができる。もし、検出されたＷＬＡＮ  ＡＰの測定が端末に対して許容され、ＷＬＡＮ周波数情報が測定対象に含まれ、第３のＷＬＡＮ  ＡＰは、前記ＷＬＡＮ周波数情報に羅列された周波数に該当し、第４のＷＬＡＮ  ＡＰは、前記ＷＬＡＮ周波数情報に羅列された周波数に該当しない場合、端末は、第１のＷＬＡＮ  ＡＰ、第２のＷＬＡＮ  ＡＰ及び第３のＷＬＡＮ  ＡＰに対してＷＬＡＮ測定を実行することができる。即ち、この場合、第４のＷＬＡＮ  ＡＰは、端末により検出されても、前記ＷＬＡＮ周波数情報に羅列された周波数上のＷＬＡＮ  ＡＰでないため、前記端末は、第４のＷＬＡＮ  ＡＰに対してＷＬＡＮ測定を実行しない。
【０１４５】
３．第３のステップ：端末がネットワーク設定によってＷＬＡＮ測定報告を実行（Ｓ１０３０）
【０１４６】
（１）もし、検出されたＷＬＡＮ  ＡＰ測定結果報告が端末に対して許容されない場合、端末は、羅列されたＷＬＡＮ  ＡＰ及び／または羅列されたＷＬＡＮ  ＡＰグループに対してのみＷＬＡＮ測定結果報告を実行することができる。即ち、もし、前記指示子が前記検出されたＷＬＡＮ  ＡＰの測定結果報告が許容されないことを指示する場合、端末は、羅列されたＷＬＡＮ  ＡＰ及び／または羅列されたＷＬＡＮ  ＡＰグループに対してのみＷＬＡＮ測定結果報告を実行することができる。
【０１４７】
例えば、第１のＷＬＡＮ  ＡＰ及び第２のＷＬＡＮ  ＡＰが測定報告対象に設定されたＷＬＡＮ  ＡＰであり、第３のＷＬＡＮ  ＡＰ及び第４のＷＬＡＮ  ＡＰが端末により検出可能なＷＬＡＮ  ＡＰであると仮定する。もし、検出されたＷＬＡＮ  ＡＰの測定結果報告が端末に対して許容されない場合、端末は、第１のＷＬＡＮ  ＡＰ及び第２のＷＬＡＮ  ＡＰに対してのみＷＬＡＮ測定結果報告を実行することができる。
【０１４８】
例えば、第１のＷＬＡＮ  ＡＰ及び第２のＷＬＡＮ  ＡＰが測定報告対象に設定されたＷＬＡＮ  ＡＰであり、第３のＷＬＡＮ  ＡＰ及び第４のＷＬＡＮ  ＡＰが端末により検出可能なＷＬＡＮ  ＡＰであると仮定する。もし、検出されたＷＬＡＮ  ＡＰの測定が端末に対して許容され、検出されたＷＬＡＮ  ＡＰの測定報告が端末に対して許容されない場合、端末は、第１のＷＬＡＮ  ＡＰ、第２のＷＬＡＮ  ＡＰ、第３のＷＬＡＮ  ＡＰ及び第４のＷＬＡＮ  ＡＰに対してＷＬＡＮ測定を実行し、第１のＷＬＡＮ  ＡＰ及び第２のＷＬＡＮ  ＡＰに対してのみ測定結果報告を実行することができる。
【０１４９】
（２）もし、検出されたＷＬＡＮ  ＡＰの測定結果報告が端末に対して許容される場合、端末は、羅列されたＷＬＡＮ  ＡＰ及び／または羅列されたＷＬＡＮ  ＡＰグループだけでなく、羅列されないＷＬＡＮ  ＡＰ及び／またはＷＬＡＮ  ＡＰグループに対するＷＬＡＮ測定結果報告を実行することができる。即ち、もし、前記指示子が前記検出されたＷＬＡＮ  ＡＰの測定結果報告が許容されることを指示する場合、端末は、羅列されたＷＬＡＮ  ＡＰ及び／または羅列されたＷＬＡＮ  ＡＰグループだけでなく、端末により検出されたＷＬＡＮ  ＡＰ及び／または検出されたＷＬＡＮ  ＡＰグループに対するＷＬＡＮ測定結果報告を実行することができる。
【０１５０】
−もし、ＷＬＡＮ周波数情報が測定対象に含まれる場合、検出されたＷＬＡＮ  ＡＰ及び／または検出されたＷＬＡＮ  ＡＰグループは、前記ＷＬＡＮ周波数情報に羅列された周波数上のＷＬＡＮ  ＡＰ及び／または羅列された周波数上のＷＬＡＮ  ＡＰグループに制限されることができる。
【０１５１】
−もし、ＷＬＡＮ周波数情報が測定対象に含まれない場合、端末は、全てのＷＬＡＮ周波数上の羅列されないＷＬＡＮ  ＡＰ及び／または羅列されないＷＬＡＮ  ＡＰグループに対するＷＬＡＮ測定結果報告を実行することができる。即ち、もし、ＷＬＡＮ周波数情報が測定対象に含まれない場合、端末は、全てのＷＬＡＮ周波数上の検出されたＷＬＡＮ  ＡＰ及び／または検出されたＷＬＡＮ  ＡＰグループに対するＷＬＡＮ測定結果報告を実行することができる。
【０１５２】
例えば、第１のＷＬＡＮ  ＡＰ及び第２のＷＬＡＮ  ＡＰが測定対象に設定されたＷＬＡＮ  ＡＰであり、第３のＷＬＡＮ  ＡＰ及び第４のＷＬＡＮ  ＡＰが端末により検出可能なＷＬＡＮ  ＡＰであると仮定する。もし、検出されたＷＬＡＮ  ＡＰの測定結果報告が端末に対して許容される場合、端末は、第１のＷＬＡＮ  ＡＰ、第２のＷＬＡＮ  ＡＰ、第３のＷＬＡＮ  ＡＰ及び第４のＷＬＡＮ  ＡＰに対してＷＬＡＮ測定を実行し、前記測定結果を報告することができる。もし、検出されたＷＬＡＮ  ＡＰの測定結果報告が端末に対して許容され、ＷＬＡＮ周波数情報が測定対象に含まれ、第３のＷＬＡＮ  ＡＰは前記ＷＬＡＮ周波数情報に羅列された周波数に該当し、第４のＷＬＡＮ  ＡＰは前記ＷＬＡＮ周波数情報に羅列された周波数に該当しない場合、端末は、第１のＷＬＡＮ  ＡＰ、第２のＷＬＡＮ  ＡＰ及び第３のＷＬＡＮ  ＡＰに対してＷＬＡＮ測定を実行し、ＷＬＡＮ測定結果を報告することができる。即ち、この場合、第４のＷＬＡＮ  ＡＰは、端末により検出されても、前記ＷＬＡＮ周波数情報に羅列された周波数上のＷＬＡＮ  ＡＰでないため、前記端末は、第４のＷＬＡＮ  ＡＰに対してＷＬＡＮ測定及びＷＬＡＮ測定報告を実行しない。
【０１５３】
本発明の一実施例によって、前記指示子が端末により検出されたＷＬＡＮ  ＡＰの測定が許容されることを指示する場合、前記端末は、検出されたＷＬＡＮ  ＡＰの測定及び測定結果報告を実行することができる。または、前記指示子が端末により検出されたＷＬＡＮ  ＡＰの測定結果報告が許容されることを指示する場合、前記端末は、検出されたＷＬＡＮ  ＡＰの測定及び測定結果報告を実行することができる。または、前記指示子が端末により検出されたＷＬＡＮ  ＡＰの測定及び測定結果報告が許容されることを指示する場合、前記端末は、検出されたＷＬＡＮ  ＡＰの測定及び測定結果報告を実行することができる。
【０１５４】
図１１は、本発明の一実施例によって、端末がＷＬＡＮ測定を実行する方法を示すブロック図である。
【０１５５】
図１１を参照すると、前記端末は、指示子及び測定対象を含むＷＬＡＮ測定設定を受信することができる（Ｓ１１１０）。
【０１５６】
前記指示子は、前記端末により検出されたＷＬＡＮ  ＡＰの測定が許容されるかどうかを指示することができる。前記ＷＬＡＮ測定設定は、サービングセルから受信されることができる。前記指示子は、前記測定対象に含まれることができる。
【０１５７】
前記端末は、前記指示子に基づいてＷＬＡＮ測定実行対象を決定することができる（Ｓ１１２０）。
【０１５８】
前記指示子が前記検出されたＷＬＡＮ  ＡＰの測定が許容されることを指示する場合、前記ＷＬＡＮ測定実行対象は、羅列されたＷＬＡＮ  ＡＰ及び前記検出されたＷＬＡＮ  ＡＰである。前記指示子が前記検出されたＷＬＡＮ  ＡＰの測定が許容されないことを指示する場合、前記ＷＬＡＮ測定実行対象は、羅列されたＷＬＡＮ  ＡＰである。前記羅列されたＷＬＡＮ  ＡＰは、ＷＬＡＮ周波数リスト、ＷＬＡＮ  ＡＰ ＩＤリスト、ＷＬＡＮ  ＡＰグループＩＤリストのうち少なくともいずれか一つを含むことができる。前記検出されたＷＬＡＮ  ＡＰは、前記羅列されたＷＬＡＮ  ＡＰに含まれず、前記端末により検出されたＷＬＡＮ  ＡＰである。前記測定対象がＷＬＡＮ周波数情報を含む場合、前記検出されたＷＬＡＮ  ＡＰは、前記ＷＬＡＮ周波数情報に羅列されたＷＬＡＮ周波数上のＷＬＡＮ  ＡＰである。
【０１５９】
前記端末は、前記決定されたＷＬＡＮ測定実行対象に対してＷＬＡＮ測定を実行することができる（Ｓ１１３０）。前記端末は、ＷＬＡＮ測定結果を報告することができる。
【０１６０】
前記端末は、前記指示子に基づいてＷＬＡＮ測定報告対象を決定し、前記決定されたＷＬＡＮ測定報告対象に対してＷＬＡＮ測定結果を報告することができる。前記指示子は、前記端末により検出されたＷＬＡＮ  ＡＰの測定結果報告が許容されるかどうかを指示することができる。
【０１６１】
前記指示子が前記検出されたＷＬＡＮ  ＡＰの測定結果報告が許容されることを指示する場合、前記ＷＬＡＮ測定報告対象は、羅列されたＷＬＡＮ  ＡＰ及び前記検出されたＷＬＡＮ  ＡＰである。前記指示子が前記検出されたＷＬＡＮ  ＡＰの測定結果報告が許容されないことを指示する場合、前記ＷＬＡＮ測定報告対象は、羅列されたＷＬＡＮ  ＡＰである。前記測定対象がＷＬＡＮ周波数情報を含む場合、前記検出されたＷＬＡＮ  ＡＰは、前記ＷＬＡＮ周波数情報に羅列されたＷＬＡＮ周波数上のＷＬＡＮ  ＡＰである。
【０１６２】
図１２は、本発明の実施例が具現される無線通信システムのブロック図である。
【０１６３】
基地局１２００は、プロセッサ（ｐｒｏｃｅｓｓｏｒ）１２０１、メモリ（ｍｅｍｏｒｙ）１２０２及び送受信機（ｔｒａｎｓｃｅｉｖｅｒ）１２０３を含む。メモリ１２０２は、プロセッサ１２０１と連結され、プロセッサ１２０１を駆動するための多様な情報を格納する。送受信機１２０３は、プロセッサ１２０１と連結され、無線信号を送信及び／または受信する。プロセッサ１２０１は、提案された機能、過程及び／または方法を具現する。前述した実施例において、基地局の動作は、プロセッサ１２０１により具現されることができる。
【０１６４】
端末１２１０は、プロセッサ１２１１、メモリ１２１２及び送受信機１２１３を含む。メモリ１２１２は、プロセッサ１２１１と連結され、プロセッサ１２１１を駆動するための多様な情報を格納する。送受信機１２１３は、プロセッサ１２１１と連結され、無線信号を送信及び／または受信する。プロセッサ１２１１は、提案された機能、過程及び／または方法を具現する。前述した実施例において、端末の動作は、プロセッサ１２１１により具現されることができる。
【０１６５】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０１６６】
前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０１６７】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
2018525921.tif 000005
【図２】
2018525921.tif 000006
【図３】
2018525921.tif 000007
【図４】
2018525921.tif 000008
【図５】
2018525921.tif 000009
【図６】
2018525921.tif 000010
【図７】
2018525921.tif 000011
【図８】
2018525921.tif 000012
【図９】
2018525921.tif 000013
【図１０】
2018525921.tif 000014
【図１１】
2018525921.tif 000015
【図１２】
2018525921.tif 000016
【国際調査報告】
2018525921.tif 000017
2018525921.tif 000018
2018525921.tif 000019
2018525921.tif 000020
2018525921.tif 000021
2018525921.tif 000022